(57)【要約】【課題】長時間連続して血圧関連情報を測定することにより、自動的に被測定者の健康状態を判定し、判定結果に応じて被測定者の健康状態等を周知する血圧関連情報管理装置および方法を提供する。【解決手段】  実施形態による装置は、被測定者の健康状態に応じてアラートを通知可能な血圧関連情報管理装置であって、アラートを通知可能なアラート通知部１ｓｐ、１１、１６と、被測定者の血圧を連続して測定可能な血圧情報測定部１５と、血圧情報測定部１５での測定結果に基づいて、予め設定された判定基準により被測定者の健康状態を判定する判定部１３１と、判定部１３１での判定結果に応じて、アラート通知部１ｓｐ、１１、１６よりアラートを通知させる通知処理部１３２と、を備える。【選択図】図１
2018149176.tif 000002
【特許請求の範囲】
【請求項１】
被測定者の健康状態に応じてアラートを通知可能な血圧関連情報管理装置であって、
アラートを通知可能なアラート通知部と、
前記被測定者の血圧を連続して測定可能な血圧情報測定部と、
前記血圧情報測定部での測定結果に基づいて、予め設定された判定基準により前記被測定者の健康状態を判定する判定部と、
前記判定部での判定結果に応じて、前記アラート通知部よりアラートを通知させる通知処理部と、を備えた血圧関連情報管理装置。
【請求項２】
前記アラート通知部は、音或いは音声によりアラートを通知可能なスピーカを含み、
前記通知処理部は、音或いは音声信号を前記アラート通知部へ送信し、前記アラート通知部より音或いは音声によるアラートを出力可能である、請求項１記載の血圧関連情報管理装置。
【請求項３】
前記アラート通知部は、画像によりアラートを通知可能な表示部を備え、
前記通知処理部は、前記判定部での判定結果に応じて、前記判定部で判定された前記被測定者の健康状態を前記表示部に表示させる、請求項１又は請求項２記載の血圧関連情報管理装置。
【請求項４】
被測定者の健康状態に応じてアラートを通知可能な血圧関連情報管理装置であって、
外部と通信可能なアラート通知部と、
前記被測定者の血圧を連続して測定可能な血圧情報測定部と、
前記血圧情報測定部での測定結果に基づいて、予め設定された判定基準により前記被測定者の健康状態を判定する判定部と、
前記判定部での判定結果に応じて、予め設定された通知基準によりアラートを通知するか否か判断し、アラートを通知すると判断したときに、アラートの通知先の情報を含む通知情報を取得し、前記アラート通知部を介して、前記通知先へアラートと前記通知情報とを送信させる通知処理部と、を備えた血圧関連情報管理装置。
【請求項５】
前記血圧関連情報管理装置の位置を検出可能な位置検出部を更に備え、
前記通知情報は前記位置検出部で検出された位置情報を含む、請求項４記載の血圧関連情報管理装置。
【請求項６】
前記血圧情報測定部により測定された前記被測定者の血圧関連情報を、所定期間分、記憶可能なメモリを更に備え、
前記通知情報は、前記メモリに記憶された前記被測定者の血圧関連情報の少なくとも一部を含む、請求項４又は請求項５記載の血圧関連情報管理装置。
【請求項７】
前記アラート通知部は、音或いは音声によりアラートを通知可能なスピーカを含み、
前記通知処理部は、音或いは音声信号を前記アラート通知部へ送信し、前記アラート通知部より音或いは音声によるアラートを出力可能である、請求項４乃至請求項６のいずれか１項記載の血圧関連情報管理装置。
【請求項８】
アラートの前記通知先の情報は、前記被測定者の家族の携帯端末、前記被測定者のかかりつけの病院に設置された端末又は前記被測定者の主治医の携帯端末の、固有のアドレス情報を含む請求項４乃至請求項７のいずれか１項記載の血圧関連情報管理装置。
【請求項９】
被測定者の健康状態に応じてアラートを通知可能な血圧関連情報管理方法であって、
前記被測定者の血圧を測定し、
前記被測定者の血圧の情報をメモリに記憶し、
前記血圧の情報に基づいて、予め設定された判定基準により前記被測定者の健康状態を判定し、
前記被測定者の健康状態の判定結果に応じて、アラート通知部よりアラートを出力させる、血圧関連情報管理方法。
【請求項１０】
被測定者の健康状態に応じてアラートを通知可能な血圧関連情報管理方法であって、
前記被測定者の血圧を測定し、
前記被測定者の血圧の情報をメモリに記憶し、
前記血圧の情報に基づいて、予め設定された判定基準により前記被測定者の健康状態を判定し、
前記被測定者の健康状態の判定結果に応じて、予め設定された通知基準によりアラートを通知するか否か判断し、アラートを通知すると判断したときに、アラートの通知先の情報を含む通知情報を取得し、外部と通信可能なアラート通知部を介して、前記通知先へアラートと前記通知情報とを送信させる、血圧関連情報管理方法。
【発明の詳細な説明】
【技術分野】
【０００１】
本発明は、血圧関連情報管理装置および方法に関し、より詳しくは、被測定者の血圧に関する情報に基づいて、被測定者が危険な状態である可能性を知らせる血圧関連情報管理装置および方法に関する。
【背景技術】
【０００２】
従来、被測定者の血圧に関連する情報を測定する装置としては、例えば特許文献１（特開２００４−２６１４５２号公報）に開示されているように、測定された血圧値と、測定時刻情報や測定条件を対応付けてメモリに格納し、特定の時間帯に複数回測定された血圧値を平均した平均値を算出し、その算出結果に基づいてリスク値を算出および表示する血圧計が提案されている。
【０００３】
また、近年では、携帯型の血圧計により、被測定者の血圧を所定の時間間隔で長期間（例えば２４時間）測定し、測定結果に基づいて被測定者の健康管理を行うことが提案されている。
【先行技術文献】
【特許文献】
【０００４】
【特許文献１】特開２００４−２６１４５２号公報
【発明の概要】
【発明が解決しようとする課題】
【０００５】
例えば、被測定者の健康状態によっては、急激な血圧上昇（サージ血圧）が発生したり、心房細動（ＡＦ：atrial fibrillation）が発生したりすることにより、周囲の助けが必要な状態に陥る場合が想定される。更に、サージ血圧やＡＦの発生をトリガとして重篤な状態に陥る可能性のある被測定者は、具合が悪くなったときに、自ら周囲に助けを求めたり、自らかかりつけの医師や家族などに自身の健康状態を知らせたりすることができないことも想定される。
【０００６】
本発明は上記事情に着目してなされたもので、血圧関連情報により自動的に被測定者の健康状態を判定し、判定結果に応じて被測定者の健康状態等を周知することが可能な血圧関連情報管理装置および方法を提供することを目的とする。
【課題を解決するための手段】
【０００７】
上記課題を解決するため、本発明の第１の態様は、被測定者の健康状態に応じてアラートを通知可能な血圧関連情報管理装置であって、アラートを通知可能なアラート通知部と、前記被測定者の血圧を連続して測定可能な血圧情報測定部と、前記血圧情報測定部での測定結果に基づいて、予め設定された判定基準により前記被測定者の健康状態を判定する判定部と、前記判定部での判定結果に応じて、前記アラート通知部よりアラートを通知させる通知処理部と、を備えるものである。
【０００８】
本発明の第２の態様は、上記第１の態様において、前記アラート通知部が、音或いは音声によりアラートを通知可能なスピーカを含み、前記通知処理部が、音或いは音声信号を前記アラート通知部へ送信し、前記アラート通知部より音或いは音声によるアラートを出力可能なものである。
【０００９】
本発明の第３の態様は、上記第１の態様において、前記アラート通知部が、画像によりアラートを通知可能な表示部を備え、前記通知処理部が、前記判定部での判定結果に応じて、前記判定部で判定された前記被測定者の健康状態を前記表示部に表示させるものである。
【００１０】
また、本発明の第４の態様は、被測定者の健康状態に応じてアラートを通知可能な血圧関連情報管理装置であって、外部と通信可能なアラート通知部と、前記被測定者の血圧を連続して測定可能な血圧情報測定部と、前記血圧情報測定部での測定結果に基づいて、予め設定された判定基準により前記被測定者の健康状態を判定する判定部と、前記判定部での判定結果に応じて、予め設定された通知基準によりアラートを通知するか否か判断し、アラートを通知すると判断したときに、アラートの通知先の情報を含む通知情報を取得し、前記アラート通知部を介して、前記通知先へアラートと前記通知情報とを送信させる通知処理部と、を備えるものである。
【００１１】
本発明の第５の態様は、上記第４の態様において、前記血圧関連情報管理装置の位置を検出可能な位置検出部を更に備え、前記通知情報は前記位置検出部で検出された位置情報を含むものである。
【００１２】
本発明の第６の態様は、上記第４又は第５の態様において、前記血圧情報測定部により測定された前記被測定者の血圧関連情報を、所定期間分、記憶可能なメモリを更に備え、前記通知情報は、前記メモリに記憶された前記被測定者の血圧関連情報の少なくとも一部を含むものである。
【００１３】
本発明の第７の態様は、上記第４乃至第６の態様のいずれかにおいて、前記アラート通知部が、音或いは音声によりアラートを通知可能なスピーカを含み、前記通知処理部が、音或いは音声信号を前記アラート通知部へ送信し、前記アラート通知部より音或いは音声によるアラートを出力可能とするものである。
【００１４】
本発明の第８の態様は、上記第４乃至第７の態様のいずれかにおいて、アラートの前記通知先の情報が、前記被測定者の家族の携帯端末、前記被測定者のかかりつけの病院に設置された端末又は主治医の携帯端末の、固有のアドレス情報を含むものである。
【発明の効果】
【００１５】
本発明の第１の態様によれば、血圧関連情報に基づいて判定された被測定者の健康状態に応じてアラートを通知することにより、被測定者の周囲の人に対して助けを求め、被測定者の対処を迅速に行うことが可能となる。その結果、被測定者が重篤な状態となることを回避可能とすることが期待できる。
【００１６】
また、被測定者が身に着けることができる血圧測定器により長時間に渡って被測定者の健康状態を自動的にチェックすることが可能となるため、被測定者が病院や自宅に拘束されることがなくなり、被測定者の行動の自由度を増すことができる。
【００１７】
本発明の第２の態様によれば、音或いは音声によるアラートを通知することにより、被測定者の周囲の人が被測定者の健康状態を確認することを容易にすることができる。
【００１８】
本発明の第３の態様によれば、表示部に被測定者の健康状態を表示してアラートを通知することにより、被測定者の周囲の人が被測定者の健康状態を確認することを容易にすることができる。
【００１９】
本発明の第４の態様によれば、血圧関連情報に基づいて判定された被測定者の健康状態に応じて、アラート等を外部へ通知し、例えば主治医や家族に対して被測定者の健康状態を知らせることにより、被測定者の対処を迅速に行うことが可能となる。その結果、被測定者が重篤な状態となることを回避可能とすることが期待できる。
【００２０】
また、被測定者が身に着けることができる血圧測定器により長時間に渡って被測定者の健康状態を自動的にチェックすることが可能となるため、被測定者が病院や自宅に拘束されることがなくなり、被測定者の行動の自由度を増すことができる。
【００２１】
本発明の第５の態様によれば、アラートと合わせて血圧測定器の位置情報を外部へ通知することにより、例えばアラートを受けた主治医や家族は、被測定者の居場所を認識し、被測定者の対処を迅速に行うことが可能となる。
【００２２】
本発明の第６の態様によれば、アラートと合わせて所定期間に測定された被測定者の血圧関連情報を外部に通知することにより、例えば、アラートを受けた主治医や家族は、サーバにアクセスすることなく、被測定者の健康状態をすぐに確認することができる。また、例えば、サーバの記憶部に記憶されたデータが最新の状態でないときや、サーバにアクセスできない環境であっても、アラートとともに通知された血圧関連情報により、被測定者の健康状態を正確に認識することができる。
【００２３】
本発明の第７の態様によれば、アラートを外部へ通知するとともに、音或いは音声により被測定者の周囲の人に対して助けを求め、被測定者の対処を迅速に行うことが可能となる。
【００２４】
本発明の第８の態様によれば、被測定者のかかりつけの病院や主治医に対してアラートを通知することにより、被測定者に対して予め準備されていた対処が行わることが期待され、被測定者の対処を迅速に行うことが可能となる。
【図面の簡単な説明】
【００２５】
【図１】図１は、本発明の一実施形態に係る血圧関連情報管理装置を備えた血圧関連情報管理システムの全体構成を概略的に示す図である。
【図２】図２は、図１に示す血圧測定器の構成の一例を示すブロック図である。
【図３】図３は、図１に示すユーザ端末の構成の一例を示すブロック図である。
【図４】図４は、図１に示すサーバの構成の一例を示すブロック図である。
【図５】図５は、本発明の一実施形態に係る血圧関連情報管理方法を説明するフローチャートである。
【図６】図６は、本発明の他の実施形態に係る血圧関連情報管理方法を説明するフローチャートである。
【発明を実施するための形態】
【００２６】
以下、図面を参照して本発明に係る実施形態を説明する。  
［一実施形態］
（構成）
図１は、本発明の一実施形態に係る血圧関連情報管理装置を備えた血圧関連情報管理システムの全体構成を概略的に示す図である。
【００２７】
血圧関連情報管理システムは、血圧測定器１０と、ユーザ端末２０と、サーバ３０と、を含む。血圧測定器１０と、ユーザ端末２０と、サーバ３０とは、ネットワークを介して、無線通信或いは有線通信により互いに通信可能に構成されている。なお、血圧測定器１０は、ユーザ端末２０を介してサーバ３０と通信可能に構成されてもよい。
【００２８】
血圧測定器１０は、帯状体と、ケーシング内に搭載された測定器本体とを備えている。被測定者は、血圧測定対象となる動脈（例えば橈骨動脈）が内部に存在する位置（被測定部）に測定器本体の少なくとも一部が接触するように、帯状体を被測定部に巻きつけることにより血圧測定器１０を装着し、測定器本体を操作して、後述するように血圧関連情報の測定および表示を行うことができる。
【００２９】
例えば、血圧測定器１０は、ＰＴＴ方式、トノメトリ方式、光学方式、電波方式、または、超音波方式などを用いた連続測定型の血圧検出方式を採用して、被測定者の血圧関連情報を測定することができる。ＰＴＴ方式は、脈波伝播時間（ＰＴＴ；Pulse Transmit Time）を測定し、測定した脈波伝播時間から血圧値を推定する方式である。トノメトリ方式は、手首の橈骨動脈等の動脈が通る生体部位（被測定部）に圧力センサを直接接触させて、圧力センサが検出する情報を用いて血圧値を測定する方式である。光学方式、電波方式、および、超音波方式は、光、電波または超音波を血管にあててその反射波から血圧値を測定する方式である。
【００３０】
ユーザ端末２０は、例えば、スマートフォンやタブレッドや携帯電話などの携帯通信端末や、パーソナルコンピュータ等の通信端末を採用することができる。
【００３１】
なお、図１には１つの血圧測定器１０および１つのユーザ端末２０のみが記載されているが、サーバ３０は、複数の血圧測定器１０および複数のユーザ端末２０と通信可能であり、複数の血圧測定器１０で測定された血圧関連情報をそれぞれ管理することが可能である。
【００３２】
図２は、図１に示す血圧測定器の構成の一例を示すブロック図である。
血圧測定器１０は、通信部１１と、操作部１２と、制御部１３と、メモリ１４と、血圧情報測定部１５と、表示部１６と、センサ部１７と、スピーカ１ｓｐと、位置検出部１８と、を備えている。
【００３３】
通信部１１は、制御部１３によって制御されて、ネットワークを介して、制御部１３から受信した所定の情報を外部へ送信可能であり、外部からの情報を受信して制御部１３へ送信することができる。通信部１１によるネットワークを介した通信は、無線通信、有線通信のいずれでも構わない。本実施形態では、ネットワークは例えばインターネットであるが、これに限定されず、ＬＡＮ（Local Area Network）のような他の種類のネットワークであってもよく、ＵＳＢケーブルなどの通信ケーブルを用いた１対１の通信であってもよい。
【００３４】
操作部１２は、タッチパネルや操作ボタン・操作キーなどの操作デバイス（図示せず）がユーザ（被測定者）によって操作されたことに応じて、操作された内容に応じた操作信号を制御部１３へ出力する。また、操作部１２は、タッチパネルや操作ボタン・操作キーに限定されず、例えば、ユーザの音声による操作指示を認識する音声認識部や、ユーザの生体の一部を認証する生体認証部や、撮像手段により得られる画像によりユーザの表情やジェスチャーを認識する画像認識部などを備えていても構わない。
【００３５】
メモリ１４は、血圧測定器１０を制御するためのプログラムのデータ、血圧測定器１０の各種機能を設定するための設定データ、少なくとも現在から遡った所定期間の測定結果のデータ、アラートの通知先の情報、位置検出部１８で検出された位置情報などを記憶することができる。また、メモリ１４は、プログラムが実行されるときのワークメモリなどとして用いられる。
【００３６】
センサ部１７は、血圧測定器１０の帯状体を被測定者の被測定部に装着した際に、少なくとも一部が被測定部と接触する位置に設けられ、被測定者の圧脈波を検出する。センサ部１７は、例えば、空気袋と、押圧部と、ポンプと、少なくとも１つの圧力センサと、を備え、ポンプにより空気袋の内部の空気量を調整して、押圧部から被測定者の被測定部を押圧する圧力を調整可能である。このとき、例えば、センサ部１７による被測定者の橈骨動脈への押圧力は、空気袋の内圧と等価であるとする。なお、センサ部１７は、被測定者の被測定部を押圧できる構成であればよく、空気袋を備える構成に限定されるものではない。
【００３７】
圧力センサは、押圧部と被測定部とが接触する位置に少なくとも１つ配置される。圧力センサは、例えば、被測定部に接触する押圧部の面に形成された感圧ダイオード等により構成することができる。  
圧力センサは、例えば、被測定者の橈骨動脈と交差（略直交）するように橈骨動脈に対して押圧される位置に配置され、被測定者の橈骨動脈から発生して皮膚に伝達される圧力振動波、すなわち圧脈波を検出可能である。
【００３８】
血圧情報測定部１５は、制御部１３からの制御信号に基づいてポンプを制御してセンサ部１７の空気袋の圧力を調整し、センサ部１７で検出された圧脈波を受信して、被測定者の最高血圧（ＳＢＰ）と最低血圧（ＤＢＰ）とを測定することができる。また、血圧情報測定部１５は、センサ部１７から得られる検出値に基づいて被測定者の脈拍数を測定することができる。血圧情報測定部１５は、圧脈波と、測定した血圧の測定値と脈拍数とを制御部１３へ出力する。
【００３９】
なお、センサ部１７は上記構成に限定されるものではなく、光センサや、超音波センサを採用してもよい。また、センサ部１７は、例えば、橈骨動脈に押し当てた２つの電極間の脈波伝播時間（ＰＴＴ）を計測してもよい。この場合、センサ部１７はＰＴＴを血圧情報測定部１５へ送信し、血圧情報測定部１５は、例えば、センサ部１７で測定されたＰＴＴと２つの電極間距離と被測定部の押圧力とに基づいて、被測定者の最高血圧（ＳＢＰ）と最低血圧（ＤＢＰ）とを測定可能である。
【００４０】
表示部１６は、例えば表示画面（例えば、ＬＣＤ（Liquid Crystal Display）またはＥＬ（Electroluminescence）ディスプレイなど）やインジケータ等を含み、制御部１３からの制御信号に従って所定の画像（静止画と動画とを含む）や色彩や明度による情報を表示することができる。
スピーカ１ｓｐは、制御部１３からの制御信号に従って、所定の音および音声を出力することができる。
【００４１】
位置検出部１８は、例えばＧＰＳ（Global Positioning System）を備え、制御部１３からの制御信号に従って動作し、ＧＰＳ衛星から得た情報より血圧測定器１０の位置を検出することができる。
【００４２】
なお、血圧測定器１０は、活動量測定機能、歩数計測機能、睡眠状態計測機能、および、環境（温度・湿度）計測機能の少なくとも１つ、を備えていてもよい。すなわち、血圧測定器１０は、３軸センサと、環境センサと、気圧計と、の少なくとも１つを更に備えていてもよく、３軸センサにより加速度を検出し、被測定者の活動量を算出可能に構成されてもよく、３軸センサにより加速度を検出するとともに気圧計により気圧を検出して、被測定者の歩数、早歩き歩数、階段のぼり歩数などを算出可能に構成されてもよく、３軸センサにより加速度を検出し、被測定者の寝返りの状態を検出することで、睡眠状態を検出可能に構成されてもよい。
【００４３】
また、環境センサは、ユーザの周囲の環境情報を測定し、測定した環境データを取得するセンサを含む。環境センサは、気温、温度、湿度、音、光などを測定するセンサを含んでも良い。環境センサは、血圧値の変動に直接あるいは間接的に関連があることが想定される環境の情報（環境データ）を測定するセンサを含むものであっても良い。また、制御部１３は、環境センサが測定する測定データを時刻情報に基づいて設定する測定時刻と紐づけて測定データ（環境データ）として取得することができる。
【００４４】
例えば、気温（気温の変化）は、人間の血圧変動を引き起こしうる要素の１つとして考えられる。このため、環境センサが測定する気温データは、ユーザの血圧変動の要因となりうる情報であり、血圧以外の１つの要素の測定データとして出力されうる。また、気温以外にも湿度、音、光などが血圧変動を引き起こしうる要素の１つとして考えらえる場合には、それらの測定データが、血圧以外の要素の測定データとして出力されるようにして良い。
【００４５】
制御部１３は、ＣＰＵ（central processing unit）やＭＰＵ（micro processing unit）などのプロセッサを少なくとも１つ含み、メモリ１４に記憶されたプログラムに従って、操作部１２からの操作信号および血圧情報測定部１５からの測定結果（圧脈波、脈拍数、血圧値など）に基づいて、メモリ１４、表示部１６、および、通信部１１を制御可能である。例えば、制御部１３は、操作部１２による指示に応じて、被測定者の現在の血圧等を測定するモードを実行可能である。また、制御部１３は、操作部１２による指示に応じて、所定の時間間隔（例えば脈拍の１拍毎）で、長期間（例えば２４時間）連続して、被測定者の血圧等を自動的に測定するモードを実行可能である。
【００４６】
なお、制御部１３は、例えば、被測定者の脈拍数や圧脈波の情報に基づいて、被測定者に心房細動が発生しているか否かを判断することが可能である。また、制御部１３は、例えば、被測定者の血圧値が単位時間あたりに急激に増加したか否か基づいて、サージ血圧が発生しているか否かを判断することができる。
【００４７】
また、制御部１３は、判定部１３１と、通知処理部１３２と、を備えていてもよい。
判定部１３１は、例えば、血圧情報測定部１５からの測定結果（圧脈波、脈拍数、血圧値など）に基づく血圧関連情報に基づいて被測定者の健康状態を判定することができる。判定部１３１は、被測定者の健康状態を、少なくとも２以上の段階で判定することができる。
【００４８】
判定部１３１は、例えば、最高血圧値、最低血圧値、脈拍数、サージ血圧が発生していること、ＡＦが発生していること、ＡＦの連続発生時間、などの血圧関連情報の少なくとも１つに基づいて被測定者の健康状態を判定してもよい。また、判定部１３１は、被測定者の健康状態を複数の血圧関連情報を組み合わせて判定してもよい。また、判定部１３１は、例えば、図示しない温度センサから得られた血圧測定器１０の周囲の環境温度や、加速度センサから得られた被測定者の動作情報などを更に考慮して、被測定者の健康状態を判定してもよい。
【００４９】
例えば、判定部１３１は、被測定者の健康状態の判定結果を、健康状態の良し悪しによる点数として数値にて表してもよく、「Ａ」〜「Ｅ」などの文字により表してもよく、「◎」「○」「□」「△」「×」などの記号により表してもよい。なお、制御部１３は、表示部１６を制御して、判定部１３１での判定結果に対応する数値や文字や記号を表示してもよく、判定結果に対応する数値をインジケータなどの画像で表示してもよい。
【００５０】
判定部１３１での判定結果は、例えば、段階的に健康状態が良い（或いは悪い）ことを示すものであってもよく、複数段階の判定結果それぞれが独立した健康状態を示すものであってもよい。
【００５１】
例えば、判定部１３１が、被測定者の健康状態を、最高血圧値、最低血圧値、脈拍数、サージ血圧発生の有無、ＡＦ発生の有無、および、ＡＦの継続時間により判定する場合、判定部１３１は、異常である項目の数（「０」〜「６」）を判定結果としてもよい。
【００５２】
また、判定部１３１は、例えば、異常である項目に対応する数値や文字や記号を組み合わせて判定結果としてもよい。例えば、最高血圧値の異常に対応する数値を「０」、最低血圧値の異常に対応する数値を「１」、脈拍数の異常に対応する数値を「２」、サージ血圧の発生時に対応する数値を「３」、ＡＦの発生時に対応する数値を「４」、ＡＦの継続時間が所定の閾値以上の時に対応する数値を「５」とし、判定部１３１は、異常である項目に対応する数値を並べた列を判定結果としてもよい。
【００５３】
また、判定部１３１は、例えば、異常である項目を「１」とし、正常である項目を「０」として、予め設定した項目の順に対応する数値（「０」又は「１」）を並べた列を判定結果としてもよい。
【００５４】
判定部１３１で被測定者の健康状態の判定に用いられる判定基準は、一般的に異常であるとされる基準値が設定されてもよく、被測定者毎に個別に設定可能であってもよい。健康状態の判定基準を被測定者毎に個別に設定することにより、例えば、主治医による専門的な意見を考慮して被測定者の健康状態を個別に判定することが可能となる。
【００５５】
通知処理部１３２は、被測定者の健康状態の判定結果に応じて、アラートを通知する。通知処理部１３２にてアラートを通知するか否かを判断する際に用いられる通知基準は、予め設定された全ての被測定者に共通の基準であってもよく、例えば被測定者の主治医が被測定者の既往症や、血圧変動の傾向などに基づいて個別に設定可能としてもよい。
【００５６】
通知処理部１３２は、アラートとして、例えば被測定者が助けを必要としていることを知らせる音或いは音声信号を生成し、スピーカ（アラート通知部）１ｓｐへ送信することができる。また、通知処理部１３２は、表示部１６をアラート通知部として、表示部１６を制御して、表示部１６の表示内容を変更してもよく、例えば、被測定者の健康状態や血圧関連情報などを表示部１６に表示させてもよく、表示部１６の表示色や明度を変えて点滅させてもよい。また、通知処理部１３２は、被測定者の健康状態の判定結果に応じて、通信部（アラート通知部）１１を介してアラートを外部へ送信することができる。
【００５７】
通知処理部１３２は、アラートを外部へ送信するときには、アラートと合わせて通知情報を通信部１１へ送信することができる。通知情報は、例えば、アラートの送信先の情報、判定部１３１で判定された被測定者の健康状態の判定結果、位置検出部１８で検出された血圧測定器１０の位置情報、直近の血圧関連情報測定時から遡って所定期間に血圧情報測定部１５により測定された被測定者の血圧関連情報、などの少なくとも１つの情報が含まれ得る。
【００５８】
また、通知処理部１３２は、通知情報として所定期間に測定された血圧関連情報を取得する際に、特に、被測定者の健康状態に影響が大きいデータの部分のみを通知情報として選択してもよい。血圧関連情報の一部のみを選択することにより、送信するデータ容量を少なくすることが可能となるとともに、例えば主治医や家族などは、受信した情報から被測定者の健康状態を把握することが容易になる。
【００５９】
通知処理部１３２は、被測定者の健康状態の判定結果に応じて複数の通知先を選択可能であり、通知先毎にアラートと合わせて送信する被測定者の情報の内容やデータ形式を変更してもよい。また、アラートの送信先の情報は例えばメモリ１４に記憶され、例えば、電子メールアドレスや電話番号など、端末に固有のアドレス情報を含む。
【００６０】
例えば、アラートの通知先の情報は、被測定者のかかりつけの病院や自宅に設置された端末や、主治医や家族の携帯端末や、１１９番へ通報を行う通報装置（図示せず）などの、固有のアドレス情報を少なくとも１つ含むことができる。被測定者のかかりつけの病院や自宅では、主治医や家族により被測定者の健康状態が悪化した際の対処が予め準備されていることが期待される。したがって、被測定者のかかりつけの病院や主治医に対してアラートを通知することにより、被測定者の対処を迅速に行うことが可能となる。
【００６１】
図３は、図１に示すユーザ端末の構成の一例を示すブロック図である。
ユーザ端末２０は、通信部２１と、操作部２２と、制御部２３と、メモリ２４と、表示部２５と、スピーカ２ｓｐと、を備えている。
【００６２】
本実施形態では、ユーザ端末２０は、例えば、スマートフォンやタブレッドなどの携帯通信端末であって、後述の処理を実行可能となるようにアプリケーションソフトウエア（プログラム）をインストールしたものである。
【００６３】
通信部２１は、制御部２３によって制御されて、ネットワークを介して、制御部２３から受信した所定の情報を外部へ送信可能であり、外部からの情報を受信して制御部２３へ送信することができる。通信部２１によるネットワークを介した通信は、無線通信、有線通信のいずれでも構わない。本実施形態では、ネットワークは例えばインターネットであるが、これに限定されず、ＬＡＮ（Local Area Network）のような他の種類のネットワークであってもよく、ＵＳＢケーブルなどの通信ケーブルを用いた１対１の通信であってもよい。
【００６４】
操作部２２は、例えば、タッチパネルや操作ボタンを備え、ユーザ（例えば被測定者）による操作に対応した操作信号を制御部２３へ送信する。また、操作部２２は、タッチパネルや操作ボタンに限定されず、例えば、キーボードおよびマウスなどの操作手段や、ユーザの音声による操作指示を認識する音声認識部や、ユーザの生体の一部を認証する生体認証部や、撮像手段により得られる画像によりユーザの表情やジェスチャーを認識する画像認識部などを備えていても構わない。
【００６５】
メモリ２４は、例えば、制御部２３でプログラムを実行するために必要な作業領域として用いられるＲＡＭ（Random Access Memory）と、制御部２３で実行するための基本的なプログラムを記憶するためのＲＯＭ（Read Only Memory）とを含む。また、メモリ２４は、血圧測定器１０から受信した血圧関連情報を、少なくとも現在から遡って所定の期間分だけ記憶してもよい。また、メモリ２４の記憶領域を補助するための補助記憶装置の記憶媒体として、半導体メモリ（メモリカード、ＳＳＤ（Solid State Drive））などを備えていてもよい。
【００６６】
表示部２５は、表示画面（例えば、ＬＣＤまたはＥＬディスプレイなど）を含む。表示部２５は、制御部２３によって制御され、所定の画像を表示画面に表示可能である。
スピーカ２ｓｐは、制御部２３からの制御信号に従って、所定の音および音声を出力することができる。
【００６７】
制御部２３は、例えば、ＣＰＵやＭＰＵなどのプロセッサを少なくとも１つと、その補助回路とを備え、ユーザ端末２０の各構成を制御可能である。制御部２３は、メモリ２４に記憶されたプログラムおよびデータに従って後述の処理を実行する。すなわち、制御部２３は、操作部２２、および、通信部２１から入力されたデータを処理し、処理したデータを、メモリ２４に記憶させたり、表示部２５で表示させたり、通信部２１から出力させたりすることが可能である。
【００６８】
制御部２３は、通信部２１から血圧測定器１０からのアラートを受信したときに、例えば、スピーカ２ｓｐを制御して、周囲に被測定者が助けを必要としていることを知らせる音（例えばブザー音）や音声を出力してもよい。また、制御部２３は、通信部２１から血圧測定器１０のアラートと合わせて被測定者の情報（通知情報）を受信したときに、表示部２５を制御して、被測定者の血圧関連情報や血圧測定器１０の位置情報などの被測定者の情報を表示してもよい。
【００６９】
図４は、図１に示すサーバの構成の一例を示すブロック図である。
サーバ３０は、通信部３１と、操作部３２と、制御部３３と、記憶部３４と、表示部３５と、を含む。サーバ３０は、例えば汎用のコンピュータ装置に、後述の処理を行わせるようにプログラム（ソフトウェア）をインストールしたものである。
【００７０】
操作部３２は、例えば、キーボードおよびマウスで構成され、ユーザによる操作を示す操作信号を制御部３３へ送信する。また、操作部３２は、キーボードおよびマウスに代えて、または、加えて、タッチパネルなどの他の操作デバイスで構成されるようにしてもよい。
【００７１】
通信部３１は、ネットワークを介して、制御部３３からの情報を外部へ送信するとともに、ネットワークを介して、外部から送信されてきた情報を受信して制御部３３へ送信する。
【００７２】
記憶部３４は、制御部３３でプログラムを実行するために必要な作業領域として用いられるＲＡＭと、制御部３３で実行するための基本的なプログラムを記憶するためのＲＯＭとを含む。記憶部３４には、血圧測定器１０或いはユーザ端末２０から送られてきた多くの血圧関連情報のデータを含むデータベースが設けられている。また、記憶部３４には、例えば、血圧関連情報に対するアクセス権限を有するユーザのＩＤ（識別子）やパスワードなどを含むデータベースが設けられている。
【００７３】
また、記憶部３４の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray（登録商標） Disc））、光磁気ディスク（ＭＯ（Magneto-Optical disk））、または、半導体メモリ（メモリカード、ＳＳＤ）などが用いられてもよい。
【００７４】
表示部３５は、表示画面（例えば、ＬＣＤまたはＥＬディスプレイなど）を含む。表示部３５は、制御部３３によって制御されて、所定の画像（静止画と動画とを含む）を表示画面に表示させる。
【００７５】
制御部３３は、例えば、ＣＰＵやＭＰＵなどのプロセッサを少なくとも１つと、その補助回路とを備えている。制御部３３は、サーバ３０の各部を制御し、記憶部３４に記憶されたプログラムおよびデータに従って所定の処理を実行し、操作部３２、および、通信部３１から入力されたデータを処理し、処理したデータを、記憶部３４に記憶させたり、表示部３５で表示させたり、通信部３１から出力させたりすることが可能である。
【００７６】
なお、制御部３３は、通信部３１を介して外部から記憶部３４のデータベースに記憶されたデータへのアクセスを要求されたときに、例えば、ＩＤおよびパスワードにより、要求されたデータへのアクセス権限があるユーザか否かを確認し、アクセス権限があるユーザであるときにはデータベースから要求されたデータを読み出して、通信部３１を介して所定のユーザへ送信することができる。したがって、被測定者が病院や自宅を離れているときには、例えば被測定者の主治医や家族など、被測定者の血圧関連情報に対するアクセス権限があるユーザは、サーバ３０の記憶部３４（データベース）にアクセスして被測定者の血圧関連情報を得ることができ、被測定者の健康状態を確認することが可能である。
【００７７】
（動作）
次に、以上のように構成された血圧関連情報管理装置が搭載された血圧関連情報管理システムの動作の一例を説明する。
最初に、血圧測定器１０で測定された血圧関連情報をサーバ３０の記憶部３４へ蓄積する動作の一例について説明する。
【００７８】
ユーザが、長期間連続して自動的に血圧関連情報を測定するモードを実行するように、血圧測定器１０の操作部１２を操作すると、血圧測定器１０の制御部１３は、所定の時間間隔で、例えば、被測定者の最高血圧と、最低血圧と、単位時間当たりの脈拍数と、測定年月日および時刻と、を含む血圧関連情報を測定するように、血圧情報測定部１５、および、センサ部１７を制御する。
【００７９】
制御部１３は、血圧情報測定部１５から測定結果を受信し、メモリ１４へ記憶させる。なお、制御部１３は、新たな血圧関連情報をメモリ１４へ記憶する際に、最も古い血圧関連情報を消去するようにしてもよい。
【００８０】
続いて、制御部１３は、通信部１１を制御して、ユーザ端末２０を介して（或いは、ユーザ端末２０を介することなく）、測定した血圧関連情報を被測定者（或いは血圧測定器１０）の個別の識別情報と合わせてサーバ３０へ送信する。このとき、制御部１３は、血圧関連情報をリアルタイムでサーバ３０へ随時送信してもよく、複数回の血圧関連情報をまとめてサーバ３０へ送信してもよい。通信部１１による通信の頻度を少なくすることにより、血圧測定器１０の電力消費を低く抑えることができる。
【００８１】
サーバ３０の制御部３３は、通信部３１を介して血圧関連情報を受信し、記憶部３４のデータベースへ記憶させる。
血圧測定器１０、ユーザ端末２０、および、サーバ３０は上記動作を繰り返し、被測定者の血圧関連情報を記憶部３４のデータベースへ蓄積する。
【００８２】
続いて、血圧関連情報管理装置にて、被測定者の健康状態に基づくアラートを通知する際の動作の一例について説明する。
【００８３】
図５は、本発明の一実施形態に係る血圧関連情報管理方法を説明するフローチャートである。ここでは、血圧測定器１０を血圧関連情報管理装置とし、アラート通知部をスピーカ１ｓｐとして、被測定者の周囲にアラートを通知する例について説明する。なお、本実施形態において、サーバ３０を血圧関連情報管理装置としても構わない。その場合には、サーバ３０の制御部３３が、上述の判定部１３１および通知処理部１３２と同様の構成を備える。
【００８４】
制御部１３は、血圧情報測定部１５を制御して、所定の時間間隔で被測定者の血圧関連情報を測定し（ステップＳ１）、測定結果をメモリ１４へ記憶させる（ステップＳ２）。メモリ１４には、直近の所定期間に測定された血圧関連情報が記憶される。
【００８５】
制御部１３の判定部１３１は、血圧情報測定部１５から受信した最新の血圧関連情報（或いはメモリ１４に記憶された血圧関連情報）に基づいて、被測定者の健康状態を判定する（ステップＳ３）。判定部１３１は、被測定者の健康状態の判定結果を、通知処理部１３２へ送信する。
【００８６】
通知処理部１３２は、判定部１３１から受信した判定結果と、予め設定された通知基準とに基づいて、アラートを通知するか否かを判断する（ステップＳ４）。
【００８７】
例えば判定部１３１からの判定結果が「０」〜「４」の５段階で得られるとき、通知基準は数値にて予め設定される。例えば、予め設定された通知基準が「３」と「４」とであるとき、通知処理部１３２は、判定結果が「０」〜「２」のときにはアラートを通知しないと判断し、判定結果が「３」であるときと、「４」であるときにアラートを通知すると判断する。また、例えば判定部１３１からの判定結果が、数値や文字の列により得られるとき、通知基準は所定の数値や文字の列にて予め設定される。
【００８８】
通知処理部１３２がアラートを通知しないと判断したとき、制御部１３は、ステップＳ１に戻り上記の処理を行う。
【００８９】
アラートを通知すると判断したときには、通知処理部１３２は、例えば、被測定者が助けを必要としていることを周知する音或いは音声信号を生成し、スピーカ１ｓｐへ音或いは音声信号を送信して出力させる（アラートを通知させる）（ステップＳ５）。なお、例えば上記の一例のように、複数の判定結果（「３」および「４」）に対してアラートを通知する場合、通知処理部１３２は、判定部１３１での判定結果毎にスピーカ１ｓｐから出力する音或いは音声信号を変えてもよく、判断結果毎にスピーカ１ｓｐの出力ボリュームを変えてもよい。また、通知処理部１３２は、アラートとしてスピーカ１ｓｐから出力する音或いは音声が、徐々に大きくなるように制御してもよい。
【００９０】
なお、スピーカ１ｓｐからアラートとして出力する音は、被測定者の健康状態が良くない状態であることを周囲に知らせるものであり、比較的大音量で出力されるブザー音等を採用することができる。また、スピーカ１ｓｐからアラートとして出力する音声は、周囲の人に助けを求めるものや、かかりつけの病院や家族への連絡を依頼するものや、１１９番への連絡を依頼するものや、被測定者に対する応急処置を依頼するものなどを採用することができる。
【００９１】
（効果）
上記のように、血圧関連情報に基づいて判定された被測定者の健康状態に応じて、アラートを通知することにより、被測定者の周囲の人に対して助けを求め、被測定者の対処を迅速に行うことが可能となる。その結果、被測定者が重篤な状態となることを回避可能とすることが期待できる。
【００９２】
また、上記のように、被測定者が身に着けることができる血圧測定器１０により長時間に渡って被測定者の健康状態を自動的にチェックすることが可能となるため、被測定者が病院や自宅に拘束されることがなくなり、被測定者の行動の自由度を増すことができる。
【００９３】
すなわち、本実施形態によれば、血圧関連情報により自動的に被測定者の健康状態を判定し、判定結果に応じて被測定者の健康状態等を周知することが可能な血圧関連情報管理装置および方法を提供することができる。
【００９４】
［他の実施形態］
次に、他の実施形態の血圧関連情報管理装置および方法について図面を参照して説明する。なお、本実施形態の血圧関連情報管理装置を備えた血圧関連情報管理システムの構成は上記実施形態と同様であるので、以下の説明において同様の構成について同一の符号を付して説明を省略する。
また、血圧測定器１０で測定された血圧関連情報をサーバ３０の記憶部３４へ蓄積する動作は、上述の実施形態と同様であるので、ここでは説明を省略する。
【００９５】
図６は、本発明の他の実施形態に係る血圧関連情報管理方法を説明するフローチャートである。なお、ここでは、血圧測定器１０を血圧関連情報管理装置とし、アラート通知部を通信部１１として外部にアラートを通知する例について説明する。なお、本実施形態において、サーバ３０を血圧関連情報管理装置とし、通信部３１をアラート通知部としても構わない。その場合には、サーバ３０の制御部３３が、上述の判定部１３１および通知処理部１３２と同様の構成を備える。
【００９６】
制御部１３は、血圧情報測定部１５を制御して、所定の時間間隔で被測定者の血圧関連情報を測定し（ステップＳ５）、測定結果をメモリ１４へ記憶させる（ステップＳ６）。メモリ１４には、直近の所定期間に測定された血圧関連情報が記憶される。
【００９７】
制御部１３の判定部１３１は、血圧情報測定部１５から受信した最新の血圧関連情報およびメモリ１４に記憶された血圧関連情報に基づいて、上記実施形態と同様に、被測定者の健康状態を判定する（ステップＳ７）。
【００９８】
判定部１３１は、例えば上記のように判定した被測定者の健康状態の判定結果を、通知処理部１３２へ送信する。  
通知処理部１３２は、上記実施形態と同様に、判定部１３１から受信した判定結果と、予め設定された判定基準とに基づいて、アラートを通知するか否かを判断する（ステップＳ８）。
【００９９】
通知処理部１３２がアラートを通知しないと判断したとき、制御部１３は、ステップＳ５に戻り上記の処理を行う。
【０１００】
アラートを通知すると判断したときには、通知処理部１３２は、判定結果に基づいてアラートの通知先を選択し、合わせて通知する情報（アラートの通知先の情報を含む通知情報）を取得する（ステップＳ９）。
【０１０１】
アラートの通知先は、全ての判定結果に共通であってもよく、判定結果毎に異なっていてもよい。また、所定の判定結果が得られたときには、アラートを通知しないように設定された通知先があっても構わない。
【０１０２】
また、通知処理部１３２は、アラートの通知先として、位置検出部１８で検出された血圧測定器１０の位置情報を用いて、血圧測定器１０の位置から所定の距離の範囲に含まれる連絡先を選択してしてもよい。この場合には、血圧測定器１０のメモリ１４は、通知先のアドレス情報と関連付けて通知先の位置情報を記憶することが可能である。
【０１０３】
通知処理部１３２は、取得した通知先へ、アラートと通知情報とを通知する（ステップＳ１０）。なお、通知処理部１３２は、上記ステップＳ９を省略して、アラートを通知すると判断した後に、予め設定された全ての通知先へアラートと通知情報とを通知してもよい。
【０１０４】
また、通知処理部１３２は、選択した通知先へアラートを通知する方法として、例えば、電子メール（e-mail）や、ショートメッセージサービス（ＳＭＳ）や、プッシュ型情報配信（push-based information delivery）などを採用することが可能である。また、通知処理部１３２は、通信部１１からサーバ３０を介して（或いはユーザ端末およびサーバ３０を介して）所定の通知先へ各種情報を通知してもよい。
【０１０５】
例えば、所定の判定結果が得られたときの通知先として、被測定者のかかりつけの病院に設置された端末が設定されているときには、通知処理部１３２は、アラートと、被測定者の健康状態（例えば判定部１３１での判定結果）と、直近の血圧関連情報と、血圧測定器１０の位置情報と、を送信してもよい。
【０１０６】
アラートを受けたかかりつけの病院に設置された端末は、例えば、スピーカから音或いは音声を出力することによりアラートを受信したことを知らせるとともに、受信した情報を表示手段により表示させることができる。被測定者の主治医は、血圧測定器１０からのアラートにより被測定者の健康状態が良くないことを認識し、受信した被測定者の健康状態と直近の血圧関連情報などから、被測定者の現在の健康状態を確認することができる。また、例えば、血圧測定器１０の位置情報に基づいて被測定者の居場所を認識し、救急車の配車や、主治医が被測定者の処置に向かうことや、被測定者の位置から近い病院へ応援を依頼することなどが可能となり、被測定者に対する迅速な処置を期待することができる。
【０１０７】
また、例えば、所定の判定結果が得られたときの通知先として、被測定者の家族の携帯端末が設定されているときには、通知処理部１３２は、アラートと、被測定者の健康状態（例えば判定部１３１での判定結果）と、血圧測定器１０の位置情報と、を送信してもよい。
【０１０８】
アラートの通知を受けた携帯端末は、例えば、スピーカにより音或いは音声を出力することによりアラートを受信したことを知らせるとともに、受信した情報を表示手段により表示させることができる。被測定者の家族は、血圧測定器１０からのアラートにより被測定者の健康状態が良くないことを認識し、受信した被測定者の健康状態から、被測定者の現在の健康状態を確認することができる。また、例えば、血圧測定器１０の位置情報に基づいて、被測定者の居場所を認識し、主治医に連絡することや、救急車を呼ぶことなどの対応をすることが可能となる。
【０１０９】
また、例えば、所定の判定結果が得られたときの通知先として、１１９番が設定されているときには、通知処理部１３２は、例えば所定の通報装置（図示せず）を介して１１９番通報を行ってもよい。このとき、通知処理部１３２は、被測定者の健康状態（例えば判定部１３１での判定結果）と、被測定者の直近の血圧関連情報と、血圧測定器１０の位置情報と、を電子メールやファックス等で消防施設へ送信しても良い。また、通知処理部１３２は、救急隊員がサーバ３０にアクセスして測定者の血圧関連情報のデータを一時的に取得可能とする認証用のＩＤとパスワードとを、サーバ３０を介して送信してもよい。
【０１１０】
（効果）
上記のように、血圧関連情報に基づいて判定された被測定者の健康状態に応じて、アラート等を外部へ通知し、主治医や家族に対して被測定者の健康状態を知らせることにより、被測定者の対処を迅速に行うことが可能となる。その結果、被測定者が重篤な状態となることを回避可能とすることが期待できる。
【０１１１】
また、上記のように、被測定者が身に着けることができる血圧測定器１０により長時間に渡って被測定者の健康状態を自動的にチェックすることが可能となるため、被測定者が病院や自宅に拘束されることがなくなり、被測定者の行動の自由度を増すことができる。
【０１１２】
すなわち、本実施形態によれば、血圧関連情報により自動的に被測定者の健康状態を判定し、判定結果に応じて被測定者の健康状態等を周知することが可能な血圧関連情報管理装置および方法を提供することができる。
【０１１３】
なお、上記実施形態において、制御部２３は、例えば、被測定者の脈拍数や圧脈波の情報に基づいて、被測定者に心房細動が発生しているか否かを判断可能に構成されてもよい。また、制御部２３は、例えば、被測定者の血圧値が単位時間あたりに急激に増加したか否か基づいて、サージ血圧が発生しているか否かを判断可能に構成されてもよい。
【０１１４】
また、上記実施形態において、制御部３３は、例えば、被測定者の脈拍数や圧脈波の情報に基づいて、被測定者に心房細動が発生しているか否かを判断可能に構成されてもよい。また、制御部３３は、例えば、被測定者の血圧値が単位時間あたりに急激に増加したか否か基づいて、サージ血圧が発生しているか否かを判断可能に構成されてもよい。
【０１１５】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１１６】
上記実施形態の一部又は全部は、以下の付記のようにも記載され得るが、以下には限られるものではない。  
（付記１）
被測定者の健康状態に応じてアラートを通知可能な血圧関連情報管理装置であって、ハードウェアプロセッサと、メモリと、アラートを通知可能なアラート通知部と、前記被測定者の血圧を連続して測定可能な血圧情報測定部と、を有し、
前記ハードウェアプロセッサは、
前記血圧情報測定部での測定結果に基づいて、予め設定された判定基準により前記被測定者の健康状態を判定し、
前記被測定者の健康状態の判定結果に応じて、前記アラート通知部よりアラートを出力させるように構成される血圧関連情報管理装置。
（付記２）
被測定者の健康状態に応じてアラートを通知可能な血圧関連情報管理装置であって、ハードウェアプロセッサと、メモリと、外部と通信可能なアラート通知部と、前記被測定者の血圧を連続して測定可能な血圧情報測定部と、を有し、
前記ハードウェアプロセッサは、
前記血圧情報測定部での測定結果に基づいて、予め設定された判定基準により前記被測定者の健康状態を判定し、
前記判定部での判定結果に応じて、予め設定された通知基準によりアラートを通知するか否か判断し、アラートを通知すると判断したときに、アラートの通知先の情報を含む通知情報を取得し、前記アラート通知部を介して、前記通知先へアラートと前記通知情報とを送信させるように構成される血圧関連情報管理装置。
（付記３）
被測定者の健康状態に応じてアラートを通知可能な血圧関連情報管理方法であって、
少なくとも１つのハードウェアプロセッサを用いて、前記被測定者の血圧を測定し、
少なくとも１つのハードウェアプロセッサを用いて、前記被測定者の血圧の情報をメモリに記憶し、
少なくとも１つのハードウェアプロセッサを用いて、前記血圧の情報に基づいて、予め設定された判定基準により前記被測定者の健康状態を判定し、
少なくとも１つのハードウェアプロセッサを用いて、前記被測定者の健康状態の判定結果に応じて、アラート通知部よりアラートを出力させる、血圧関連情報管理方法。
（付記４）
被測定者の健康状態に応じてアラートを通知可能な血圧関連情報管理方法であって、
少なくとも１つのハードウェアプロセッサを用いて、前記被測定者の血圧を測定し、
少なくとも１つのハードウェアプロセッサを用いて、前記被測定者の血圧の情報をメモリに記憶し、
少なくとも１つのハードウェアプロセッサを用いて、前記血圧の情報に基づいて、予め設定された判定基準により前記被測定者の健康状態を判定し、
少なくとも１つのハードウェアプロセッサを用いて、前記被測定者の健康状態の判定結果に応じて、予め設定された通知基準によりアラートを通知するか否か判断し、アラートを通知すると判断したときに、アラートの通知先の情報を含む通知情報を取得し、外部と通信可能なアラート通知部を介して、前記通知先へアラートと前記通知情報とを送信させる、血圧関連情報管理方法。
【符号の説明】
【０１１７】
１０…血圧測定器、１ｓｐ…スピーカ（アラート通知部）、１１…通信部（アラート通知部）、１３１…判定部、１３２…通知処理部、１２…操作部、１３…制御部、１４…メモリ、１５…血圧情報測定部、１６…表示部（アラート通知部）、１７…センサ部、１８…位置検出部、２０…ユーザ端末、２ｓｐ…スピーカ、２１…通信部、２２…操作部、２３…制御部、２４…メモリ、２５…表示部、３０…サーバ、３１…通信部、３２…操作部、３３…制御部、３４…記憶部、３５…表示部。
【図１】
2018149176.tif 000003
【図２】
2018149176.tif 000004
【図３】
2018149176.tif 000005
【図４】
2018149176.tif 000006
【図５】
2018149176.tif 000007
【図６】
2018149176.tif 000008